(57)【要約】  エアコン（1）及びその制御方法、エアコン遠隔制御装置（２）及びその遠隔制御方法、エアコンシステムである。エアコン（１）は、遠隔制御装置（２）から起動指令を受信する第１の受信ユニット（１１）と、受信した起動指令に基づいて、現在の環境情報に応じてエアコン（１）の運転パラメータを決定する演算ユニット（１２）と、決定した運転パラメータを遠隔制御装置（２）に送信する第１の送信ユニット（１３）とを含む。【選択図】図１
2019532240.tif 000002
【特許請求の範囲】
【請求項１】
遠隔制御装置から起動指令を受信する第１の受信ユニットと、
受信した起動指令に基づいて、現在の環境情報に応じてエアコンの運転パラメータを決定する演算ユニットと、
決定した前記運転パラメータを前記遠隔制御装置に送信する第１の送信ユニットとを含むことを特徴とするエアコン。
【請求項２】
前記第１の受信ユニットは、さらに遠隔制御装置から前記運転パラメータに対する調整を受信し、
演算ユニットは、環境情報に応じて、エアコンの現在のモードパラメータ及び／又は使用履歴データを参照して、エアコンの運転パラメータを決定し、及び／又は、
エアコンは、決定した前記運転パラメータに基づいてエアコンを運転させるか、又は、前記第１の受信ユニットが受信した、前記運転パラメータに対する調整に基づいてエアコンの運転を制御する制御ユニットをさらに含み、及び／又は、
前記環境情報は、室内環境温度／湿度、室外環境温度／湿度のうちの少なくとも１つを含み、及び／又は、
前記運転パラメータは、運転モード、目標温度／湿度、風速、風向き調整モード、風力のうちの少なくとも１つを含むことを特徴とする請求項１に記載のエアコン。
【請求項３】
前記第１の受信ユニットは、前記遠隔制御装置から前記運転パラメータに対する所定範囲内の調整を受信し、及び／又は、
制御ユニットは、前記運転パラメータの調整に基づいてエアコンを運転させるか、又は、エアコンが運転している状況でエアコンの現在の運転を変更し、及び／又は、
前記第１の受信ユニットは、前記遠隔制御装置から前記室内環境温度／湿度を受信することを特徴とする請求項２に記載のエアコン。
【請求項４】
遠隔制御装置から起動指令を受信することと、
受信した起動指令に基づいて、現在の環境情報に応じてエアコンの運転パラメータを決定することと、
決定した前記運転パラメータを前記遠隔制御装置に送信することと、を含むことを特徴とするエアコンの制御方法。
【請求項５】
遠隔制御装置から、前記遠隔制御装置に送信した前記動作パラメータに対する調整を受信し、
環境情報に応じてエアコンの運転パラメータを決定することは、現在の環境情報に応じて、エアコンの現在のモードパラメータ及び／又は使用履歴データを参照して、エアコンの運転パラメータを決定することを含み、及び／又は、
現在の環境情報に応じてエアコンの運転パラメータを決定した後、前記運転パラメータに基づいてエアコンを運転させるか、又は、遠隔制御装置から、前記遠隔制御装置に送信した前記運転パラメータに対する調整を受信し、前記運転パラメータの調整に基づいてエアコンの運転を制御することをさらに含み、及び／又は、
前記環境情報は、室内環境温度／湿度、室外環境温度／湿度のうちの少なくとも１つを含み、及び／又は、
前記運転パラメータは、運転モード、目標温度／湿度のうちの少なくとも１つを含むことを特徴とする請求項４に記載の方法。
【請求項６】
前記遠隔制御装置から前記運転パラメータに対する調整を受信することは、前記遠隔制御装置から前記運転パラメータに対する所定範囲内の調整を受信することを含み、及び／又は、
前記運転パラメータの調整に基づいてエアコンの運転を制御することは、前記運転パラメータの調整に基づいてエアコンを運転させるか又はエアコンが運転している状況でエアコンの現在の運転を変更することを含み、
前記室内環境温度／湿度は、前記遠隔制御装置から受信されることを特徴とする請求項５に記載の方法。
【請求項７】
エアコンに起動指令を送信する第２の送信ユニットと、
前記起動指令に基づいて運転パラメータを決定したエアコンから運転パラメータを受信する第２の受信ユニットと、
受信した前記運転パラメータを表示する表示ユニットと、
調整指令に基づいて、受信した前記運転パラメータを調整する調整ユニットと、を含むことを特徴とするエアコン遠隔制御装置。
【請求項８】
前記第２の送信ユニットは、前記エアコンに前記調整後の運転パラメータを送信するか、又は、前記エアコンにローカル運転パラメータを対応して調整することを指示する指令を送信し、及び／又は、
調整ユニットは、調整指令に基づいて前記運転パラメータを所定範囲内に調整し、及び／又は、
前記運転パラメータは、運転モード、目標温度／湿度のうちの少なくとも１つを含むことを特徴とする請求項７に記載の遠隔制御装置。
【請求項９】
室内環境温度／湿度を検出する検出ユニットをさらに含み、
前記第２の送信ユニットは、前記エアコンに前記室内環境温度／湿度を送信し、
エアコンから受信した前記運転パラメータは、前記室内環境温度／湿度を含む環境情報に応じて決定されることを特徴とする請求項８に記載の遠隔制御装置。
【請求項１０】
エアコンに起動指令を送信することと、
前記起動指令に基づいて運転パラメータを決定した前記エアコンから、エアコンの運転パラメータを受信することと、
受信した前記運転パラメータを表示することと、
調整指令に基づいて、受信した前記運転パラメータを調整することと、を含むことを特徴とするエアコン遠隔制御方法。
【請求項１１】
前記エアコンに前記調整後の運転パラメータを送信するか、又は、前記エアコンにローカル運転パラメータを対応して調整することを指示する指令を送信すること、及び／又は、
調整指令に基づいて前記運転パラメータを所定範囲内に調整することをさらに含み、及び／又は、
前記運転パラメータは、運転モード、目標温度／湿度のうちの少なくとも１つを含むことを特徴とする請求項１０に記載の方法。
【請求項１２】
室内環境温度／湿度を検出することと、
前記エアコンに前記室内環境温度／湿度を送信することとをさらに含み、
エアコンから受信した前記運転パラメータは、前記室内環境温度／湿度を含む環境情報に応じて決定されることを特徴とする請求項１１に記載の方法。
【請求項１３】
請求項１〜４のいずれか一項に記載のエアコンと、請求項９〜１２のいずれか一項に記載の遠隔制御装置とを含むことを特徴とするエアコンシステム。
【発明の詳細な説明】
【技術分野】
【０００１】
本願は、エアコンの分野に関し、特にエアコン及びその制御方法、エアコン遠隔制御装置及びその遠隔制御方法、エアコンシステムに関する。
【背景技術】
【０００２】
エアコンは、優れた冷房等の性能を有するため、人々に広く歓迎される。現在、市販されているエアコンは、いずれも遠隔制御装置を備え、遠隔制御装置が主に様々な指令をエアコンのメインコントローラに送信して、所望の温度／湿度制御の結果を得る。
【０００３】
しかしながら、室内と室外の温度／湿度が異なるため、ユーザが快適と感じるエアコンの運転パラメータ、例えば、冷房／暖房モード、風速、目標温度／湿度、風向き調整の要否等も異なり、従来の解決手段において、ユーザが遠隔制御装置により自己設定する必要があるが、ユーザは、通常、環境温度／湿度の数値を正確に判断できず、エアコン（特に、初回使用のエアコン）の様々な設定状況及びその達成できる性能効果に対しても慣れていないため、現在の環境温度／湿度を、どのような目標温度／湿度に調整して、快適と感じるかに対して困っており、例えば、長期間使用していないエアコンを再度起動する場合、通常、遠隔制御装置によりエアコンの運転パラメータを複数回繰り返し変更してこそ、所望の設定に達することができる。従来のエアコン制御の解決手段において、エアコンの使用効率が低く、インテリジェント化が不十分で、快適性体験が悪い。
【０００４】
上記問題に対して、現在、効果的な解決方法をまだ提供していない。
【発明の概要】
【０００５】
これに鑑みて、本願は、エアコン及びその制御方法、エアコン遠隔制御装置及びその遠隔制御方法、エアコンシステムを提供する。
【０００６】
本願の一態様によれば、遠隔制御装置から起動指令を受信する第１の受信ユニットと、受信した起動指令に基づいて、現在の環境情報に応じてエアコンの運転パラメータを決定する演算ユニットと、決定した前記運転パラメータを前記遠隔制御装置に送信する第１の送信ユニットとを含むエアコンを提供する。
【０００７】
前記第１の受信ユニットは、さらに遠隔制御装置から前記運転パラメータに対する調整を受信し、演算ユニットは、環境情報に応じて、エアコンの現在のモードパラメータ及び／又は使用履歴データを参照して、エアコンの運転パラメータを決定し、及び／又は、エアコンは、決定した前記運転パラメータに基づいてエアコンを運転させるか、又は、前記第１の受信ユニットが受信した、前記運転パラメータに対する調整に基づいてエアコンの運転を制御する制御ユニットをさらに含み、及び／又は、前記環境情報は、室内環境温度／湿度、室外環境温度／湿度のうちの少なくとも１つを含み、及び／又は、前記運転パラメータは、運転モード、目標温度／湿度、風速、風向き調整モード、風力のうちの少なくとも１つを含む。
【０００８】
前記第１の受信ユニットは、前記遠隔制御装置から前記運転パラメータに対する所定範囲内の調整を受信し、及び／又は、制御ユニットは、前記運転パラメータの調整に基づいてエアコンを運転させるか、又は、エアコンが運転している状況でエアコンの現在の運転を変更し、及び／又は、前記第１の受信ユニットは、前記遠隔制御装置から前記室内環境温度／湿度を受信する。
【０００９】
本願の別の態様によれば、遠隔制御装置から起動指令を受信することと、受信した起動指令に基づいて、現在の環境情報に応じてエアコンの運転パラメータを決定することと、決定した前記運転パラメータを前記遠隔制御装置に送信することと、を含むエアコンの制御方法を提供する。
【００１０】
遠隔制御装置から、前記遠隔制御装置に送信した前記運転パラメータに対する調整を受信し、環境情報に応じてエアコンの運転パラメータを決定することは、現在の環境情報に応じて、エアコンの現在のモードパラメータ及び／又は使用履歴データを参照して、エアコンの運転パラメータを決定することを含み、及び／又は、現在の環境情報に応じてエアコンの運転パラメータを決定した後、前記運転パラメータに基づいてエアコンを運転させるか、又は、遠隔制御装置から、前記遠隔制御装置に送信した前記運転パラメータに対する調整を受信し、前記運転パラメータの調整に基づいてエアコンの運転を制御することをさらに含み、及び／又は、前記環境情報は、室内環境温度／湿度、室外環境温度／湿度のうちの少なくとも１つを含み、及び／又は、前記運転パラメータは、運転モード、目標温度／湿度のうちの少なくとも１つを含む。
【００１１】
前記遠隔制御装置から前記運転パラメータに対する調整を受信することは、前記遠隔制御装置から前記運転パラメータに対する所定範囲内の調整を受信することを含み、及び／又は、前記運転パラメータの調整に基づいてエアコンの運転を制御することは、前記運転パラメータの調整に基づいてエアコンを運転させるか又はエアコンが運転している状況でエアコンの現在の運転を変更することを含み、前記室内環境温度／湿度は、前記遠隔制御装置から受信される。
【００１２】
本願のさらなる態様によれば、エアコンに起動指令を送信する第２の送信ユニットと、前記起動指令に基づいて運転パラメータを決定したエアコンから運転パラメータを受信する第２の受信ユニットと、受信した前記運転パラメータを表示する表示ユニットと、調整指令に基づいて、受信した前記運転パラメータを調整する調整ユニットとを含むエアコン遠隔制御装置を提供する。
【００１３】
前記第２の送信ユニットは、前記エアコンに前記調整後の運転パラメータを送信するか、又は、前記エアコンにローカル運転パラメータを対応して調整することを指示する指令を送信し、及び／又は、調整ユニットは、調整指令に基づいて前記運転パラメータを所定範囲内に調整し、及び／又は、前記運転パラメータは、運転モード、目標温度／湿度のうちの少なくとも１つを含む。
【００１４】
室内環境温度／湿度を検出する検出ユニットをさらに含み、前記第２の送信ユニットは、前記エアコンに前記室内環境温度／湿度を送信し、エアコンから受信した前記運転パラメータは、前記室内環境温度／湿度を含む環境情報に応じて決定される。
【００１５】
本願のさらなる態様によれば、エアコンに起動指令を送信することと、前記起動指令に基づいて運転パラメータを決定した前記エアコンから、エアコンの運転パラメータを受信することと、受信した前記運転パラメータを表示することと、調整指令に基づいて、受信した前記運転パラメータを調整することとを含むエアコン遠隔制御方法を提供する。
【００１６】
前記エアコンに前記調整後の運転パラメータを送信するか、又は、前記エアコンにローカル運転パラメータを対応して調整することを指示する指令を送信すること、及び／又は、調整指令に基づいて前記運転パラメータを所定範囲内に調整することをさらに含み、及び／又は、前記運転パラメータは、運転モード、目標温度／湿度のうちの少なくとも１つを含む。
【００１７】
室内環境温度／湿度を検出することと、前記エアコンに前記室内環境温度／湿度を送信することとをさらに含み、エアコンから受信した前記運転パラメータは、前記室内環境温度／湿度を含む環境情報に応じて決定される。
【００１８】
本願のさらなる態様によれば、請求項１〜４のいずれか一項に記載のエアコンと、請求項９〜１２のいずれか一項に記載の遠隔制御装置とを含むエアコンシステムを提供する。
【００１９】
本願に係るエアコン及びその制御方法、エアコン遠隔制御装置及びそのエアコン方法、エアコンシステムによれば、遠隔制御装置を用いてエアコンを起動する場合、エアコンが環境情報に応じて自体の運転パラメータを決定し、運転パラメータをリモコンに送信して微調整することにより、ユーザが環境情報及びエアコンの性能を正確に判断する場合にも、エアコンの運転を迅速に制御して、ユーザが快適と感じることができ、エアコンのインテリジェント化のレベル及び使用効率を向上させ、ユーザの快適性体験を向上させる。
【００２０】
上記説明は、本願の技術的解決手段の概要だけであり、本願の技術的手段をより明確に理解し、明細書の内容に基づいて実施できるために、以下、図面を参照しながら本願の好ましい実施例を詳細に説明する。
【図面の簡単な説明】
【００２１】
本発明の一部を構成する図面は、本発明に対するさらなる理解を提供するものであり、本発明の概略的な実施例及びその説明は、本発明を不当に限定するものではなく、本発明を解釈するものである。図面：
【図１】本願に係るエアコンシステムの一実施例の概略図である。
【図２】本願に係るエアコン及び遠隔制御装置の構造の一実施例の概略図である。
【図３】本願に係るエアコン制御方法の一実施例の概略図である。
【図４】本願に係るエアコン遠隔制御方法の一実施例の概略図である。
【発明を実施するための形態】
【００２２】
本願の目的、技術的解決手段及び利点をさらに明らかにするために、以下に本願の具体的な実施例及び対応する図面を参照して、本願の技術的解決手段を明確で、完全に説明する。明らかに、説明された実施例は、本願の実施例の一部分だけであり、全ての実施例ではない。本願の実施例に基づいて、当業者が創造的な労働をしない前提で、取得した全ての他の実施例は、いずれも本願の保護範囲に属する。
【００２３】
図１は、本願に係るエアコンシステムの一実施例の概略図を示す。
【００２４】
図１に示すとおり、エアコンシステムは、エアコン１及び遠隔制御装置２を含む。
【００２５】
遠隔制御装置２は、リモコン、遠隔制御アプリケーションプログラムがインストールされた携帯端末、例えば携帯電話、タブレットコンピュータ、ノートパソコン等の電子機器を含むが、それらに限定されない。
【００２６】
図２は、本願に係るエアコン及び遠隔制装置の構造の一実施例の概略図を示す。
【００２７】
図２に示すとおり、エアコン１は、第１の受信ユニット１１、演算ユニット１２、第１の送信ユニット１３を少なくとも含む。遠隔制御装置２は、第２の受信ユニット２１、第２の送信ユニット２２、表示ユニット２３を少なくとも含む。
【００２８】
エアコン１と遠隔制御装置２は、双方向通信機能を有し、即ち、いずれも送信及び受信の能力を有し、通信機能は、赤外線、マイクロ波、ブルートゥース、ＷＩＦＩ、無線周波数等の方式により実現される。
【００２９】
遠隔制御装置２の第２の送信ユニット２２は、エアコン１に起動指令を送信し、例えば、ユーザは、リモコンにおけるボタン、例えばオンオフボタンにより、エアコンの起動指令をトリガーする。エアコン１の第１の受信ユニット１１は、前記起動指令を受信する。起動指令の送信方式は、赤外線、マイクロ波、ブルートゥース、ＷＩＦＩ、無線周波数等を含むが、それらに限定されない。
【００３０】
起動指令を受信した後、エアコン１が通電して起動し、演算ユニット１２は、環境情報に応じてエアコンの運転パラメータを決定する。環境情報は、室内環境温度／湿度、室外環境温度／湿度等のうちの少なくとも１つを含むが、それらに限定されない。運転パラメータは、冷房／暖房運転モード、風速、目標温度／湿度、風向き調整モード、風力等のうちの少なくとも１つを含むが、それらに限定されない。
【００３１】
エアコン１は、室内及び／又は室外環境温度／湿度を検出する温度／湿度センサ(図示せず)を含み、例えば、エアコン１は、室内温度／湿度を検出する温度／湿度センサが設置された室内機と、室外温度／湿度を検出する温度／湿度センサが設置された室外機とを含む。
【００３２】
さらに、エアコンとユーザとの間に一般的に一定の距離があるため、エアコンに設置されたセンサにより検出された室内温度／湿度は、ユーザの位置の温度／湿度と差異があり、エアコンにおけるセンサにより検出された室内温度／湿度により決定された運転パラメータが合理的でない可能性があるため、好ましくは、遠隔制御装置２に、検出ユニット（図示せず）を設置して、ユーザの周囲の室内環境の温度／湿度を検出し、第２の送信ユニット２２により、検出された該室内環境温度／湿度をエアコン１に送信し、エアコン１の第１の受信ユニット１１が該室内環境温度／湿度を環境情報の少なくとも一部として受信する。
【００３３】
一実施形態において、エアコン１は、室内環境温度／湿度及び／又は室外環境温度／湿度に基づいて、エアコンの現在のモードパラメータを参照して、エアコンの運転パラメータを決定する。例えば、ある温度／湿度下で、幾つかのユーザが熱いと感じて冷房を必要とするが、他のユーザが冷いと感じて暖房を必要とする。ユーザが前回エアコンを停止する時に記憶したモードに基づいて運転パラメータにおける冷房／暖房モードを決定できるため、室内環境温度／湿度及び／又は室外環境温度／湿度が、ある数値範囲内にある場合、エアコンの現在のモードパラメータに基づいて、目標運転パラメータを決定し、例えば、エアコンが通電した後に前回停止する時に記憶したモードが暖房であれば、現在のモードである暖房を目標モードとして維持する。
【００３４】
一例として、以下に例を挙げて演算ユニット１２がどのように環境情報に応じて、又は環境情報に応じてエアコンの現在のモードパラメータを参照して、エアコンの運転パラメータを決定するかを説明する。
【００３５】
【表１】
2019532240.tif 000003
【００３６】
表１に示すように、環境温度に基づいてエアコンの運転モードを決定する。ユーザがエアコン１を遠隔起動し、エアコン１は、検出された室外環境温度Ｔ外部環境と室内環境温度Ｔ内部環境に基づいて、運転パラメータにおける冷房／暖房モードをインテリジェントに決定する。例えば、Ｔ外部環境の値が２６℃以上であると、Ｔ内部環境の値にかかわらず、運転モードを冷房モードと決定し、Ｔ外部環境の値が１６℃より小さいと、Ｔ内部環境の値にかかわらず、運転モードを暖房モードと決定し、Ｔ外部環境の値が１６℃〜２６℃の間にあると、Ｔ内部環境の値に基づいて冷房／暖房モードを決定し、Ｔ内部環境の値が２６℃以上であると、運転モードを冷房と決定し、Ｔ内部環境の値が１８℃より小さいと、運転モードを暖房モードと決定し、Ｔ内部環境の値が１８℃〜２６℃の間にあると、エアコンの現在のモード、例えば記憶された前回の運転モードを維持する。
【００３７】
【表２】
2019532240.tif 000004
【００３８】
表２に示すように、運転モードを決定した後、さらにＴ内部環境の値に基づいて初期目標温度Ｔ設定を決定する。例えば、冷房モードと決定した場合、Ｔ内部環境が１６℃より小さいと、Ｔ設定を１６℃と決定し、このように類推し、説明を省略し、暖房モードと決定した場合、Ｔ内部環境が１２℃より小さいと、Ｔ設定を２５℃と決定し、このように類推し、説明を省略する。
【００３９】
理解できるように、以上は環境温度のみを例として運転モード及び目標温度を決定するが、湿度、温湿度についても同様であり、風速、風力、風向き調整モードの決定についても同様であり、当業者は、必要に応じて創造的な労働をしない前提で柔軟な変更を行うことができるが、いずれも本願の保護範囲内にある。
【００４０】
理解できるように、運転パラメータの決定は、さらにユーザの使用履歴データを参照して決定することができる。機械の自己学習により、ユーザの様々な環境情報でのエアコン使用習慣を了解し、現在の環境情報及び／又は現在のモードパラメータを参照して、初期目標運転パラメータを決定することにより、運転パラメータの決定をパーソナライズし、ユーザ体験を向上させることができる。
【００４１】
エアコンの運転パラメータを決定した後、第１の送信ユニット１３は、決定された運転パラメータを遠隔制御装置に送信する。ユーザが遠隔制御装置から、初期設定した運転パラメータを知ることができ、またユーザが微調整しやすい。
【００４２】
一実施形態において、エアコン１は、運転パラメータを決定した後、決定された運転パラメータに基づいてエアコンを運転させ、遠隔制御ユニット側の決定を待つ必要がない制御ユニット（図示せず）をさらに含む。
【００４３】
別の実施形態において、エアコン１は、同様に、運転パラメータを決定した後、直ちにエアコンを運転するように制御せず、運転データを遠隔制御装置２に送信した後、遠隔制御装置２のフィードバックを待ち、さらにそのフィードバックに基づいてエアコンを運転するように制御する制御ユニットを含む。
【００４４】
さらに、遠隔制御装置２における第２の受信ユニット２１は、エアコン１から運転パラメータを受信し、表示ユニット２３、例えは、表示画面は、ユーザが見るように運転パラメータを表示し、遠隔制御装置は、ユーザが例えば、ボタンにより発される調整指令に基づいて前記運転パラメータを調整する（例えば、ユーザは、現在の実際の需要に基づいて、決定した運転パラメータにおける初期目標温度を上昇させるか又は低下させる）調整ユニット（図示せず）をさらに含み、第２の送信ユニット２２は、エアコン１に調整後の運転パラメータを送信するか、又はエアコン１にローカル運転パラメータを対応して調整することを指示する指令を送信する。エアコン１の第１の受信ユニット１１は、遠隔制御装置２から、調整した運転パラメータを受信するか、又はローカル運転パラメータを調整することを指示する指令を受信する。エアコンの制御ユニットは、受信した遠隔制御装置２のフィードバック(調整後の運転パラメータ又はエアコンにローカル運転パラメータを調整することを指示する指令)に基づいて、エアコンの運転を制御し、例えば、エアコンを制御して調整後のパラメータに基づいて運転するか、又はエアコンが運転している場合に調整後のパラメータに基づいて現在の運転を変更する。
【００４５】
好ましくは、遠隔制御装置２において、運転パラメータに対する調整は、所定範囲内に規定されて、好ましい快適な効果内で調整することを保証する。図３に示すように、エアコンが遠隔制御装置に送信する初期目標温度が２５℃であり、ユーザが設定温度を調整する必要がある場合に、最小値を２５℃−３℃＝２２℃と設定し、最高値を２５℃±３℃＝２８℃と設定することができて、ユーザの異なる需要を満たす。
【００４６】
【表３】
2019532240.tif 000005
【００４７】
なお、制御指令の送信／受信及びデータ（例えば、運転パラメータ）の送信／受信が、異なる通信モードにより実現され、例えば、制御指令の送信／受信が、赤外線又はマイクロ波により実現され、データの送信／受信が、ブルートゥース、ＷＩＦＩ、無線周波数等により実現される。
【００４８】
本願は、上記エアコンに対応するエアコン制御方法をさらに含み、図３は、本願に係るエアコン制御方法の一実施例の概略図を示す。
【００４９】
ステップＳ１１、遠隔制御装置から起動指令を受信する。
【００５０】
ステップＳ１２、環境情報に応じてエアコンの運転パラメータを決定する。
【００５１】
ステップＳ１３、前記運転パラメータを前記遠隔制御装置に送信する。
【００５２】
本実施例の方法により実現された処理及び機能は、基本的には、前述のエアコンの実施例、原理及び実例に対応するため、本実施例の説明において詳細に説明しないものは、前述の実施例における関連説明を参照することができ、ここでは説明を省略する。
【００５３】
本願は、上記遠隔制御装置に対応するエアコン遠隔制御方法をさらに含み、図４は、本願に係るエアコン遠隔制御方法の一実施例の概略図を示す。
【００５４】
ステップＳ２１、エアコンに起動指令を送信する。
【００５５】
ステップＳ２２、エアコンからエアコンの運転パラメータを受信する。
【００５６】
ステップＳ２３、前記運転パラメータを表示する。
【００５７】
本実施例の方法により実現された処理及び機能は、基本的には、前述の遠隔制御装置の実施例、原理及び実例に対応するため、本実施例の説明において詳細に説明しないものは、前述の実施例における関連説明を参照することができ、ここでは説明を省略する。
【００５８】
上記装置をエアコンシステムに適用することができ、該エアコン制御システムは、上記エアコン及び遠隔制御装置の構造及び対応する構造の処理方法を含む。具体的な構造及び処理方法は、上記方法及び装置の説明を参照し、ここでは説明を省略する。
【００５９】
以上は、本願のエアコン及びその制御方法、エアコン遠隔制御装置及びその遠隔制御方法、エアコンシステムを説明する。遠隔制御装置を用いてエアコンを起動する場合、エアコンが環境情報に応じて自体の運転パラメータを決定し、運転パラメータをリモコンに送信して微調整することにより、ユーザが環境情報及びエアコンの性能を正確に判断する場合にも、エアコンの運転を迅速に制御して、ユーザが快適と感じることができ、エアコンのインテリジェント化のレベル及び使用効率を向上させ、ユーザの快適性体験を向上させる。
【００６０】
なお、衝突しない場合、本発明における実施例及び実施例における特徴が互いに組み合わせることができる。
【００６１】
当業者によって理解されるように、上記実施例の全部又は一部のステップの実現は、ハードウェアにより完了してもよく、プログラムにより関連するハードウェアを命令して完了してもよく、上記プログラムがコンピュータ読み取り可能な記憶媒体に記憶され、上記記憶媒体は、リードオンリーメモリ、磁気ディスク又は光ディスク等の様々なプログラムコードを記憶できる媒体であってもよい。
【００６２】
以上の実施例は、本発明の好ましい実施例にすぎず、本発明を限定するものではなく、本発明の技術的思想に基づいて以上の実施例に対して行われる任意の簡単な修正、同等の変化及び修飾は、いずれも本発明の技術的解決手段の範囲内に属する。
【図１】
2019532240.tif 000006
【図２】
2019532240.tif 000007
【図３】
2019532240.tif 000008
【図４】
2019532240.tif 000009
【国際調査報告】
2019532240.tif 000010
2019532240.tif 000011
2019532240.tif 000012
2019532240.tif 000013